(57)【要約】      （修正有）【課題】輸液のために本来必要な部品を使ってフリーフロー状態とロック状態との切替え簡易な構造の液体をチューブで送る輸液ポンプ用のカセットを提供する。【解決手段】内部空間１２０の、内壁面１２１との間にチューブ２０を挟む位置に装入された、中心線から放射状に延びる半径方向への移動が自在なリング１３と、中心線方向に異なる輸液位置（Ａ）と解放位置（Ｂ）とに移動自在であって、輸液位置（Ａ）にあるときに、リング１３をその内側から半径方向一方向に押圧することによりチューブ２０をリング１３で内壁面１２１に押し当ててチューブ２０を押し潰し、解放位置（Ｂ）にあるときに、リング１３を押圧から解放することによりチューブ２０を押潰しから解放する偏芯形状を有し、輸液位置（Ａ）にあるときにモータからの回転駆動力を受け中心線の回りに回転しリング１３を介してチューブ２０内の液を送り出す偏芯ピン１５とを備えた。【選択図】図３
2014012123.tif 000002
【特許請求の範囲】
【請求項１】
中心線を取り巻いて広がる内壁面により区画され、外部から延びる輸液用のチューブを受け入れ該内壁面に沿わせて配置して外部に延出させる内部空間を形成する本体部材と、
前記内部空間の、前記内壁面との間に前記チューブを挟む位置に装入された、前記中心線から放射状に延びる半径方向への移動が自在な環状部材と、
前記中心線方向に異なる輸液位置と解放位置とに移動自在であって、前記輸液位置にあるときに、前記環状部材を環の内側から前記半径方向一方向に押圧することにより前記チューブを該環状部材で前記内壁面に押し当てて該チューブを押し潰し、前記解放位置にあるときに、前記環状部材の押圧を緩め又は該環状部材を押圧から解放することにより、該チューブの押潰しを緩め又は該チューブを押潰しから解放する偏芯形状を有し、前記輸液位置にあるときにモータからの回転駆動力を受けて前記中心線の回りに回転し前記チューブ内の液を前記環状部材を介して送り出す偏芯部材とを備えたことを特徴とする輸液ポンプ用カセット。
【請求項２】
前記偏芯部材を、前記輸液位置に解除可能に固定する固定機構を備えたことを特徴とする請求項１記載の輸液ポンプ用カセット。
【請求項３】
前記固定機構が、前記輸液位置にある前記偏芯部材を該輸液位置に固定し該偏芯部材に前記解放位置に向かう向きの所定以上の力が加えられたときに固定を解除して該偏芯部材を該解放位置に向かわせるロック部を有することを特徴とする請求項２記載の輸液ポンプ用カセット。
【請求項４】
前記固定機構が、前記輸液位置にある前記偏芯部材に係止して該偏芯部材を該輸液位置から移動不能ならしめる係止位置と、該係止位置から退避して該偏芯部材の前記解放位置への移動を可能ならしめる退避位置との間で移動自在な係止部材を備えたことを特徴とする請求項２又は３記載の輸液ポンプ用カセット。
【請求項５】
請求項１から４のうちのいずれか１項記載の輸液ポンプ用カセットと、
モータを内蔵し、前記輸液ポンプ用カセットの取付けを受け、前記輸液位置にある前記偏芯部材に該モータからの回転駆動力を伝達するポンプ本体とを備えたことを特徴とする輸液ポンプ。
【発明の詳細な説明】
【技術分野】
【０００１】
本発明は液体をチューブで送る輸液ポンプ用のカセット、およびカセットを用いた輸液ポンプ、特にはロータリ式の輸液ポンプに関する。
【背景技術】
【０００２】
ロータリ式の輸液ポンプを使ってチューブで輸液する技術が様々な分野で利用されている。例えば胃瘻患者の胃にチューブで直接に水分や栄養分を注入する際にも、ロータリ式の輸液ポンプが好適に利用されている。この分野で用いられるロータリ式の輸液ポンプには、チューブをポンプに直接にセットするタイプと、チューブがセットされるカセットとポンプ本体とに分かれているタイプとがある。チューブをポンプに直接にセットするタイプの場合、それだけでは液が自然落下により流れ出るフリーフロー状態にあるために、別途、液止めのストッパがチューブの途中に付けられているのが一般的である。また、カセットとポンプ本体とに分かれているタイプの場合、そのカセットをポンプ本体に取り付ける前は液の流れを停止するロック状態にあり、そのカセットをポンプ本体に取付けてポンプを運転しないと送液できないタイプと、これとは逆にポンプ本体に取り付けられる前はフリーフロー状態にあるタイプとが一般である。
【０００３】
胃瘻患者の胃に液を送り込むにあたっては、輸液バッグにチューブが取り付けられたままの未使用の状態では、液が流れ出ないようにロック状態になっていなければならず、使用開始にあたっては、患者の胃に液を送り込む前にチューブ先端にまで液を送ってチューブ内の空気を抜く必要がある。このチューブ先端にまで液を送るにあたっては、チューブをフリーフロー状態とし液を自然落下させることが好ましい。さらに液がチューブ先端に達したらロック状態に戻すことによって液の流れを一旦停止してからカセットをポンプに取り付る必要がある。このようなことから、チューブをフリーフロー状態とロック状態とに切り替えることのできる構成とすることが好ましい。この切り替えは、輸液ポンプとは別体のクリップなどで行なうタイプのものが多い。
【０００４】
これに対し、輸液ポンプ自体でフリーフロー状態とロック状態を切り替える技術が提案されている。
【０００５】
例えば特許文献１には、カセット本体のみのときはロック状態にあり、そのカセット本体にフリーフローキーを嵌め込むことでフリーフロー状態となる輸液ポンプ用チューブカセットが提案されている。
【０００６】
また、特許文献２には、カセットに、スライド操作によりフリーフロー状態に切り替えるキー部材を備えた輸液ポンプ用カセットが提案されている。
【先行技術文献】
【特許文献】
【０００７】
【特許文献１】実用新案登録第３１３３４５３号公報
【特許文献２】特開２００１−２１８８４１号公報
【発明の概要】
【発明が解決しようとする課題】
【０００８】
特許文献１に開示された輸液ポンプ用チューブカセットの場合、カセット本体とは別体のフリーフローキーが必要であり、またそのフリーフローキーを取り外してからそのカセットをポンプ本体に取り付ける必要があるなど、クリップを使うこととほぼ同等である。
【０００９】
また、特許文献２に開示された輸液ポンプカセットの場合、カセット内に輸液のためには本来必要ない、フリーフロー状態とロック状態とを切り替えるためにのみ必要なキー部材が組み込まれていて、いわばカセットにクリップを備えた構造である。
【００１０】
本発明は、上記事情に鑑み、輸液のために本来必要な部品を使ってフリーフロー状態とロック状態とを切り替えることにより、簡易な構造を実現した輸液ポンプ用カセットおよび輸液ポンプを提供することを目的とする。
【課題を解決するための手段】
【００１１】
上記目的を達成する輸液ポンプ用カセットは、
中心線を取り巻いて広がる内壁面により区画され、外部から延びる輸液用のチューブを受け入れその内壁面に沿わせて配置して外部に延出させる内部空間を形成する本体部材と、
上記内部空間の、上記内壁面との間にチューブを挟む位置に装入された、上記中心線から放射状に延びる半径方向への移動が自在な環状部材と、
上記中心線方向に異なる輸液位置と解放位置とに移動自在であって、輸液位置にあるときに、環状部材を環の内側から半径方向一方向に押圧することによりチューブを環状部材で上記内壁面に押し当ててチューブを押し潰し、解放位置にあるときに、環状部材の押圧を緩め又は環状部材を押圧から解放することにより、チューブの押潰しを緩め又はチューブを押潰しから解放する偏芯形状を有し、輸液位置にあるときにモータからの回転駆動力を受けて上記中心線の回りに回転しチューブ内の液を上記環状部材を介して送り出す偏芯部材とを備えたことを特徴とする。
【００１２】
本発明の輸液ポンプ用カセットは、偏芯部材がモータからの回転駆動力を受けて環状部材を押しながら回転することによりチューブ内の液を送り出す構造であり、したがって偏芯部材は輸液に不可欠な部材である。本発明の輸液ポンプ用カセットは、この輸液に不可欠な部材である偏芯部材を輸液位置と解放位置とに移動可能としている。これにより、簡易な構造でロック状態とフリーフロー状態との切り替えを実現している。
【００１３】
ここで、本発明の輸液ポンプ用カセットにおいて、上記偏芯部材を、輸液位置に解除可能に固定する固定機構を備えることが好ましい。
【００１４】
この固定機構を備えると、チューブをロック状態に確実にとどめることができる。
【００１５】
この固定機構としては、輸液位置にある偏芯部材をその輸液位置に固定し偏芯部材に解放位置に向かう向きの所定以上の力が加えられたときに固定を解除して偏芯部材を解放位置に向かわせるロック部を有することが好ましい。
【００１６】
この場合、力を加えて押す操作だけでフリーフロー状態とすることができ、操作性が向上する。
【００１７】
または、この固定機構として、輸液位置にある偏芯部材に係止してその偏芯部材をその輸液位置から移動不能ならしめる係止位置と、その係止位置から退避して偏芯部材の解放位置への移動を可能ならしめる退避位置との間で移動自在な係止部材を備えることも好ましい構成である。この係止部材は、上記ロック部と併用されていてもよく、あるいはロック部は備えずにこの係止部材のみを備えていてもよい。
【００１８】
この係止部材を備えると、ロック状態に一層確実に固定することができる。
【００１９】
また、本発明の輸液ポンプは、本発明の輸液ポンプ用カセットと、モータを内蔵し、輸液ポンプ用カセットの取付けを受け、輸液位置にある偏芯部材にモータからの回転駆動力を伝達するポンプ本体とを備えたことを特徴とする。
【発明の効果】
【００２０】
本発明の輸液ポンプ用カセットおよび輸液ポンプによれば、輸液に不可欠な部材を用いた簡易な構造でロック状態とフリーフロー状態との切り替えが実現する。
【図面の簡単な説明】
【００２１】
【図１】本発明の第１実施形態としての輸液ポンプ用カセットの分解斜視図である。
【図２】図１に分解斜視図を示す輸液ポンプ用カセットの、組立てた状態の外観斜視図である。
【図３】図２（Ａ）に示す矢印Ｘ−Ｘに沿う断面図である。
【図４】図１に分解斜視図を示す輸送ポンプ用カセットから偏芯部材の円盤部と押え板を取り外して下から眺めた状態を示した図である。
【図５】図５は、組立てた状態の輸液ポンプ用カセットを、図２とは異なる視線から見て示した斜視図である。
【図６】輸液ポンプ用カセットとポンプ本体の装着部分を示した斜視図である。
【図７】ポンプ本体を透視して、輸液ポンプ用カセットがポンプ本体に装着された状態を示した透視図である。
【図８】ポンプ本体に備えられた駆動部材を示した側面図である。
【図９】ポンプ本体に備えられた駆動部材を示した斜視図である。
【図１０】本発明の輸液ポンプ用カセットの第１変形例を示す図である。
【図１１】本発明の輸液ポンプ用カセットの第２変形例を示す図である。
【図１２】本発明の輸液ポンプ用カセットの第３変形例を示す図である。
【図１３】本発明の輸液ポンプ用カセット１０３の第４変形例を示す図である。
【図１４】第４変形例の輸液ポンプ用カセットを構成するキャップの斜視図である。
【図１５】第２実施形態としての輸液ポンプ用カセットの底面図である。
【図１６】図１５に示す円Ｒの部分の拡大図である。
【発明を実施するための形態】
【００２２】
以下、本発明の実施の形態を説明する。
【００２３】
図１は、本発明の第１実施形態としての輸液ポンプ用カセットの分解斜視図である。また、図２は、図１に分解斜視図を示す輸液ポンプ用カセットの、組立てた状態の外観斜視図、図３は、図２（Ａ）に示す矢印Ｘ−Ｘに沿う断面図、図４は、この輸液ポンプ用カセットから偏芯部材の円盤部と押え板を取り外して眺めた状態を示した図である。さらに、図５は、組立てた状態の輸液ポンプ用カセットを、図２とは異なる視線から見て示した斜視図である。
【００２４】
ここでは、輸液ポンプ用カセットを通過するチューブ２０についても示してある。そのチューブ２０は、本来はもっと長尺であるが、ここでは輸液ポンプ用カセット１０近傍の部分のみ示している。
【００２５】
図１には、この輸液ポンプ用カセット１０の中心線Ｃが示されている。この輸液ポンプ用カセット１０は、図１に示すように、キャップ１１、本体１２、リング１３、押え板１４および偏芯ピン１５を有する。ここには、本体１２に収容されるチューブ２０であって、本体１２に収容されたときの形状のチューブが示されている。
【００２６】
本体１２は、図４に示す円弧形状の内壁面１２１により区画された内部空間１２０を有する。この内壁面１２１は、図１に示す中心線Ｃから等距離に広がる面である。
【００２７】
チューブ２０は、図２に示すように、外部から延びて本体１２の内部空間１２０に収容され、その内部空間１２０において円弧形状の内壁面１２１に沿うように配置されて一周し、再び本体１２の外部に延出している。
【００２８】
また、本体１２は、片持ち梁形状のロック爪１２２を両側に備えている。このロック爪１２２は、後述するポンプ本体に嵌合して、この輸液ポンプ用カセット１０を、そのポンプ本体からの取り外しが可能にポンプ本体にロックする役割りを担っている。このロック爪１２２には、操作部１２２ａが設けられており、ポンプ本体にロックされた状態で両側部に設けられたロック爪１２２の操作部１２２ａを互いに押し縮めるように操作する。すると、ロック爪１２２の、ポンプ本体からのロックが外れ、この輸液ポンプ用カセット１０をポンプ本体から取り外すことができる。さらに、この本体１２には、その下部の周囲３カ所（図４参照）に、スリット１２３が形成されている。このスリット１２３は、適度な力での押え板１３の組立ておよび偏芯ピン１５の上下移動を可能とするためのものである。
【００２９】
偏芯ピン１５は、中心軸Ｃ（図１参照）の延びる方向について互いに異なる位置である、図２（Ａ），図３（Ａ）に示す輸液位置と、図２（Ｂ），図３（Ｂ）に示す解放位置とに移動可能に構成されている。偏芯ピン１５が図２（Ａ），図３（Ａ）に示す輸液位置にあるときは、チューブ２０がリング１３に押されて潰れ、ロック状態となる。
【００３０】
また、偏芯ピン１５が図２（Ｂ），図３（Ｂ）に示す解放位置に移動すると、チューブ２０はリング１３による押圧から解放され、フリーフロー状態となる。
【００３１】
この輸液ポンプ用カセット１０の組立てにあたっては、本体１２の内部空間１２０にチューブ２０を図１に示すリング形状に収容した後、そのチューブ２０の輪の中にリング１３を配置する。すなわち、このリング１３は、本体１２の内部空間１２０の内壁面１２１（図３，図４参照）との間にチューブ２０を挟む位置に装入される。このリング１３は、中心線Ｃ（図１参照）から放射状に延びる半径方向、すなわち、図３に示す左右方向と紙面に垂直な方向との２方向に広がる平面内で移動自在である。
【００３２】
本体１２の内部空間１２０にリング１３を装入した後、リング形状の押え板１４が本体１２の内部空間１２０に装入される。本体２０の内部空間１２０を形成している内壁面１２１には、一周に渡る固定溝１２４が形成されており、押え板１４はその固定溝１２４に嵌め込まれる。この押え板１４は、リング１３が下に落ちないようにそのリング１３を下から支える部材である。
【００３３】
さらに、その押え板１４を装着した後、下から偏芯ピン１５が差し込まれる。この偏芯ピン１５は、図１に示すように、ヘッド部１５１と、偏芯カム部１５２と、円盤部１５３を有する。本体１２の上部には、内部空間１２０に繋がる開口１２５が形成されている。偏芯ピン１５は、本体１２の内部空間１２０に下から差し込まれ、その偏芯ピン１５のヘッド部１５１がその開口１２５から本体１２の上に突き出た状態となる。この本体１２の上に突き出た状態のヘッド部１５１には、キャップ１１が、通常の使用状態ではヘッド部１５１からの取外しが不能な程度に固く嵌め込まれる。
【００３４】
また、この偏芯ピン１５の偏芯カム部１５２は、中心線Ｃから偏芯した形状を有し、この偏芯ピン１５が輸液位置にあるときに、図３（Ａ）および図５に示すように、リング１３をその内側から半径方向（図３（Ａ）の横方向）一方向に押圧することにより、チューブ２０をリング１３でを介して内壁面１２１に押し当ててチューブ２０を押し潰す役割りを担っている。
【００３５】
この偏芯ピン１５は、ポンプ本体から回転駆動力を受け中心線Ｃを回転中心として回転する部材であり、輸液位置にある偏芯ピン１５が回転すると、リング１３によるチューブ２０を押し潰す位置が図４に示す矢印Ａ方向に連続的に変化し、これによりチューブ２０内の液が送り出される。
【００３６】
また、本体１２の、内部空間１２０を形成している内壁面１２１の下部には、一周に渡ってロック溝１２６が設けられている。偏芯ピン１５が図２（Ａ），図３（Ａ）に示す輸液位置にあるときには、偏芯ピン１５の円盤部１５３の周縁部１５３ａがそのロック溝１２６に入り込んで係止された状態となる。この係止は、キャップ１１を上から押すことにより解除可能である。偏芯ピン１５は、この状態でポンプ本体からの回転駆動を受けて回転し、チューブ２０内の液をリング１３を介して送り出す。ロック溝１２６は偏芯ピン１５の回転の軸受けとしての役割りも担っている。
【００３７】
円盤部１５３の周縁部１５３ａがロック溝１２６に入り込んだ状態では、キャップ１１は、偏芯ピン１５のヘッド部１５１により、図２（Ａ），図３（Ａ）に示す、本体１２から上に離れた位置まで押し上げられた状態にある。
【００３８】
本体１２には、上述したスリット１２３が形成されており、キャップ１１を上から押すと適度な所定以上の力で、円盤部１５３がロック溝１２６に入り込んでいることによる固定が解除されて、図２（Ｂ），図３（Ｂ）に示す解放位置まで下方に移動する。このときキャップ１１は、本体１２の直ぐ上の位置まで下降する。偏芯ピン１５が解放位置に移動すると、偏芯ピン１５の偏芯カム部１５２は、図３（Ｂ）に示すようにリング１３から外れ、チューブ２０は、そのチューブ２０自身の弾性力により潰れから解放されてフリーフロー状態となる。尚、本実施形態では、解放位置にある偏芯ピン１５はリング１３を押圧からほぼ完全に解放しているが、チューブ２０は十分にフリーフロー状態となることができればよく、レイアウト上の制約点があるときは、解放位置においても、偏芯ピン１５がリング１３を、フリーフロー状態を確保する程度に押したままであってもよい。
【００３９】
すなわち、この偏芯ピン１５は、解放位置にあるときに、リング１３の押圧を緩め又はリング１３を押圧から解放することにより、チューブ２０の押潰しを緩め又はチューブ２０を押潰しから解放する偏芯形状を有している。
【００４０】
さらに、図５に示すように、この偏芯ピン１５の円盤部１５３の下面１５３ｂには、ポンプ本体からの回転駆動力を受けるための、周回方向に等間隔に複数設けられた穴１５４が形成されている。ポンプ本体との関係については後述する。
【００４１】
この輸液ポンプ用カセット１０は、使用前はその偏芯ピン１５が図２（Ａ），図３（Ａ）に示す輸液位置にあり、チューブ２０は液が流れないロック状態にある。長く延びたチューブ２０の上方の先端に、液が入った輸液バッグを取り付け、キャップ１１を押して、偏芯ピン１５を、図２（Ｂ），図３（Ｂ）に示す解放位置に移動させる。すると、チューブ２０は、フリーフロー状態となり、輸液バッグ内の液が自然落下によりチューブ２０内を流れ落ちる。その液がチューブ２０の下側の先端まで達したタイミングで、今度はキャップ１１を上に引き上げて、偏芯ピン１５を再び図２（Ａ），図３（Ａ）に示す輸液位置に移動させる。すると、チューブ２０は、再びロック状態となり、液の流れが停止する。その状態でこの輸液ポンプ用カセット１０がポンプ本体に装着される。そしてそのポンプ本体からの回転駆動力を受けて偏芯ピン１５が回転し、リング１３によるチューブ２０の押潰し位置が図４に示す矢印Ａ方向に回転し、チューブ２０内の液が送り出される。このようにして輸液バッグ内の液が輸液ポンプの回転速度に応じた流量で輸液される。
【００４２】
図６は、輸液ポンプ用カセットとポンプ本体の装着部分を示した斜視図である。また図７は、ポンプ本体を透視して、輸液ポンプ用カセットがポンプ本体に装着された状態を示した透視図である。さらに、図８，図９はポンプ本体に備えられた駆動部材を示した、それぞれ側面図および斜視図である。
【００４３】
ここに示すポンプ本体３０は、本発明の輸液ポンプにいうポンプ本体の一例である。
【００４４】
このポンプ本体３０は、図７に示すように、筐体３１と、その筐体３１に内蔵されたモータ３２と、そのモータ３２の回転駆動力を輸液ポンプ用カセット１０に伝達する駆動部材３３を有する。
【００４５】
このポンプ本体３０の筐体３１には、輸液ポンプ用カセット１０の装着を受ける装着部３１１が形成されている。この装着部３１１は、輸液ポンプ用カセット１０の下端部の形状に合った形状の凹部３１２が形成され、またその輸液ポンプ用カセット１０の本体１２に設けられた２つのロック爪１２２が入り込む２つの穴３１３が形成されている。さらにこの装着部３１１の中央には、駆動軸３３の上端が覗く穴３１４が形成されている。輸液ポンプ用カセット１０は、図６に上向きに示されている下面を下に向けてポンプ本体３０の装着部３１１に装着される。すると、左右両側部に設けられた２つのロック爪１２２が、図７に示すように２つの穴３１３にそれぞれ入り込み、この輸液ポンプ用カセット１０がポンプ本体３０から分離しないように固定される。ロック爪１２２には、指で押される操作部１２２ａが設けられている。これら２つのロック爪の操作部１２２ａを互いの距離を縮めるように押すとロック爪１２２のポンプ本体３０への係止が外れ、そのまま持ち上げると、この輸液ポンプ用カセット１０がポンプ本体３０から取り外される。
【００４６】
ポンプ本体３０に備えられている駆動部材３３は、図８，図９に示すように、固定板３３１と、ギア３３２と、駆動軸３３３と、ヘッド３３４と、コイルバネ３３５を備えている。
【００４７】
固定板３３１は、筐体３１に固定されて筐体３１に対し不動となっている。ギア３３２は駆動軸３３３に固定され、モータ３２（図７参照）からの回転駆動力を受けて駆動軸３３３に伝達するギアである。モータ３２からギア３３２に回転駆動力が伝えられると、そのギア３３２とともに駆動軸３３３が回転する。駆動軸３３３の上端部には、固定板３３１との間にコイルバネ３３５を挟んでヘッド３３４が備えられている。固定板３３１は、筐体３１に固定されている。このヘッド３３４には、図９に示すように、駆動軸３３３が貫通する穴３３４ａが形成されており、さらにその穴３３４ａに繋がって半径方向に延びる２つの長穴３３４ｂが形成されている。駆動軸３３３の上端部には、その駆動軸３３３から半径方向に張り出した駆動ピン（図示せず）が固定されており、その駆動ピンが２つの長穴３３４ｂに入り込んでいる。このため、ヘッド３３４は、駆動軸３３３に対し上下方向には移動自在であって、駆動軸３３３の回転に対しては、その駆動軸３３３と一体的に回転する。
【００４８】
また、このヘッド３３４の上面には、輸液ポンプ用カセット１０の偏芯ピン１５の下面１５３ｂ（図５，図６参照）に設けられた複数の穴１５４にそれぞれ入り込む複数の突起３３４ｃが設けられている。ポンプ本体３０の装着部３１１に装着された状態の輸液ポンプ用カセット１０の偏芯ピン１５の下面１５３ｂの穴１５４にヘッド３３４の上面の突起３３４ｃが入り込んだ状態で駆動軸３３３が回転すると、ヘッド３３４もその駆動軸３３３とともに回転し、そのヘッド３３４の回転が輸液ポンプ用カセット１０の偏芯ピン１５に伝えられてその偏芯ピン１５が回転し、上述した原理によりチューブ２０内の液が輸液される。
【００４９】
ここで、輸液ポンプ用カセット１０をポンプ本体３０に装着した当初は、偏芯ピン１５の下面１５３ｂの穴１５４にヘッド３３４の上面の突起３３４ｃが入り込まない場合もある。このときは、ヘッド３３４ｃが偏芯ピン１５の下面１５３ｂに当たり、コイルバネ３３５のバネ力に抗してヘッド３３４が押し下げられる。
【００５０】
図８（Ａ），図９（Ａ）は、このようにしてヘッド部３３４が押し下げられた状態の駆動部材３３を示している。
【００５１】
ヘッド３３４が図８（Ａ），図９（Ａ）の状態にあるまま、図７に示すモータ３２を回転させると、ギア３３２を介して駆動軸３３３およびヘッド３３４が回転を開始し、偏芯ピン１５の下面１５３ｂの穴１５４とヘッド３３４の上面の突起３３４ｃの位置が一致したタイミングで、ヘッド３３４がコイルバネ３３５に押されて上昇して突起３３４ｃが穴１５４に入り込む。
【００５２】
図８（Ｂ），図９（Ｂ）は、突起３３４ｃが穴１５４に入り込んだ状態の駆動部材３３を示している。
【００５３】
突起３３４ｃが穴１５４に入り込んだ後は、偏芯ピン１５が駆動軸３３３およびヘッド３３４の回転と一体的に回転する。
【００５４】
以上で本発明の一実施形態の説明を終了し、以下、各種の変形例について説明する。尚、以下の説明で参照する各図において、上述の実施形態における構成要素に対応する構成要素には、これまで説明してきた各図において付した符号と同一の符号を付して示し、上述の実施形態との相違点のみについて説明する。
【００５５】
図１０は、本発明の輸液ポンプ用カセットの第１変形例を示す図である。
【００５６】
図１０に示す第１変形例の輸液ポンプ用カセット１０１の本体１１の内壁面１２１の下部には、図３に示すロック溝１２６に代わり、一周にわたって内側に突出したフランジ１２７が形成されている。このフランジ１２７の形成に伴い、図３に示す実施形態と比べ、偏芯ピン１５の円盤部１５３の周縁の形状も変更されている。このフランジ１２７は、図３に示すロック溝１２６と同じ役割りを担っている。すなわち、このフランジ１２７は、偏芯ピン１５をこの図１０に示す輸液位置に固定しておくためのものである。キャップ１１を上から所定以上の力を押すとそのロックが外れ、偏芯ピン１５は、解放位置（図３（Ｂ）参照）に移動する。
【００５７】
このように、図３に示すロック溝１２６に代えて、この図１０に示すフランジ１２７が形成された構成としてもよい。
【００５８】
図１１は、本発明の輸液ポンプ用カセットの第２変形例を示す断面図（Ａ）および斜視図（Ｂ）である。
【００５９】
図１１に示す第２の変形例の輸液ポンプ用カセット１０２には、図３に示すロック溝１２６も図１１に示すフランジ１２７も形成されていない。
【００６０】
この図１１に示す第２の変形例の輸液ポンプ用カセット１０２には、本体１２の上面に溝１２８が形成され、その溝１２８にはその溝１２８に沿ってスライド操作されるストッパ１６が備えられている。そのストッパ１６の、偏芯ピン１５側には円弧形状の凹部１６１が形成されている。
【００６１】
また、この第２変形例の輸液ポンプ用カセット１０２の偏芯ピン１５は、その偏芯ピン１５がこの図１１に示す輸液位置にあるときのストッパ１６と同じ高さ位置に、そのストッパ１６の凹部１６１を受け入れる、一周にわたって形成された溝１５４を有する。
【００６２】
この第２変形例の輸液ポンプ用カセット１０２の場合、ストッパ１６をスライドさせて、そのストッパ１６を、その凹部１６１が溝１５４に入り込んだ係止位置に移動させることにより、偏芯ピン１５が輸液位置に固定される。この偏芯ピン１５を輸液位置から解放位置に移動させるにあたっては、ストッパ１６を、その凹部１６１が溝１５４から離れる方向にスライドさせて、凹部１６１と溝１５４との係合が解除された退避位置に移動させた上でキャップ１１を押し下げる。こうすることにより偏芯ピン１５は解放位置に移動する。
【００６３】
この第２変形例の輸液ポンプ用カセット１０２の場合、キャップ１１が不用意に押されても、ストッパ１６が偏芯ピン１５の溝１５４に差し込まれている限り輸液位置にとどまるため、チューブ２０内の液が不用意に洩れ出すおそれが一層確実に回避される。
【００６４】
尚、この図１１に示す第２変形例の輸液ポンプ用カセット１０２において、この図１１に示すストッパ１６に加え、さらに図３に示すロック溝１２６や図１０に示すフランジ１２７と同様なロック機構を備えた構成としてもよい。
【００６５】
図１２は本発明の輸液ポンプ用カセットの第３変形例を示す断面図である。
【００６６】
この図１２に示す第３変形例の輸液ポンプ用カセット１０３には、偏芯ピン１５の円盤部１５３の周縁に、一周に渡る溝１５３ｃが形成されている。また、本体１２の、内部空間１２０を形成している内壁面１２１には、その溝１５３ｃに入り込む突起１２９が形成されている。
【００６７】
さらにこの第３変形例の輸液ポンプ用カセット１０３には、その溝１５３ｃに入り込んだ係止位置と、その溝１５３ｃから抜かれた退避位置との間でスライド操作されるストッパ１７が備えられている。またこのストッパ１７を備えたことに伴い、本体１２も、そのストッパ１７を支持する構造に変更されている。
【００６８】
この第３変形例の輸液ポンプ用カセット１０３は、前述の実施形態同様、本体１２の下部に設けられたスリット１２３（図３等参照）により本体１２の下部が変形しやすい構造を有する。このため、ストッパ１７が、この図１２に示すように溝１５３ｃから外れた状態にあるときにキャップ１１を押し下げると、本体１２の下端部が弾性変形して溝１５３ｃと突起１２９との係合が外れ、偏芯ピン１５が図１２に示す輸液位置から解放位置（図３（Ｂ）参照）へと移動する。ただし、本体１２の、ストッパ１７を支持している部分は、キャップを押し下げる操作程度の力ではほとんど弾性変形しない強度を有し、したがってストッパ１７を溝１５３ｃに入り込むようにスライドさせると、キャップ１１が不用意に押された場合であっても、偏芯ピン１５は、この図１２に示す輸液位置にとどまる。
【００６９】
このように、この第３変形例の輸液ポンプ用カセット１０３の場合も、図１１に示す第２変形例の輸液ポンプ用カセット１０２と同様、チューブ２０内の液が不用意に洩れ出すことが一層確実に防止される。
【００７０】
尚、この第３変形例の輸液ポンプ用カセットにおいて、本体１２の突起１２９に代えて、あるいはその突部１２９を設けるとともに、図１０に示す第１変形例の輸液ポンプ用カセット１０１のフランジ１２７と同様なフランジ１２７を設けてもよい。
【００７１】
図１３は、本発明の輸液ポンプ用カセットの第４変形例を示す断面図である。また、図１４は、この第４変形例の輸液ポンプ用カセットを構成するキャップの斜視図である。
【００７２】
図１４に示すように、この第４変形例の輸液ポンプ用カセット１０４を構成するキャップ１１には、中央を上下に貫通する穴１１１と、その中央の穴１１１に繋がるスリット１１２が形成されている。このキャップ１１は、ある程度の力が加わるとスリット１１２が弾性的に開き、中央の穴１１１を広げる構造となっている。
【００７３】
また、この第４変形例の輸液ポンプ用カセット１０４の偏芯ピン１５のヘッド部１５１は、図１３に示すように球形に形成されており、キャップ１１の穴１１１には、その球形のヘッド部１５１と形状のあった球形の窪み部１１１ａが形成されている。
【００７４】
図１３（Ａ）は、偏芯ピン１５が輸液位置にあるときの輸液ポンプ用カセットを示している。
【００７５】
ここではキャップ１１の穴１１１の上端縁で偏芯ピン１５の球状のヘッド部１５１を支えるとともに、キャップ１１の下端が本体１２の上面に突き当たっている。偏芯ピン１５は、このようにして、輸液位置にロックされている。
【００７６】
この輸液位置にある偏芯ピン１５を解放位置に移動させるにあたっては、先ずは、キャップ１１を上に持ち上げる。このキャップ１１を所定以上の力で持ち上げると、キャップ１１に形成されたスリット１１２が開きながらキャップ１１が持ち上がり、図１３（Ｂ）に示すように、偏芯ピン１５の球形のヘッド部１５１がキャップ１１の穴１１１の窪み部１１１ａに嵌り込む。
【００７７】
その後、キャップ１１を偏芯ピン１５と一緒に押し下げると、図１３（Ｃ）に示すように、キャップ１１とともに偏芯ピン１５が下に下がり、偏芯ピン１５が解放位置に移動する。
【００７８】
解放位置にある偏芯ピン１５を輸液位置に移動させるには、図１３（Ｃ）の状態にあるキャップ１１を図１３（Ｂ）に示す状態にまで上に持ち上げる。そして今度は偏芯ピン１５を下から押さえながらキャップ１１のみを押し下げる。こうすることにより、キャップ１１および偏芯ピン１５は、図１３（Ａ）に示す状態となり、偏芯ピン１５が輸液位置に移動してロックされた状態となる。
【００７９】
この図１３に示す第４変形例の輸液ポンプ用カセット１０４の場合、偏芯ピン１５が輸液位置にあるときはヘッド部１５１がキャップ１１の上に突出した状態となり、偏芯ピン１５が解放位置に移動するとヘッド部１５１がキャップ１１の穴１１１の中に引っ込んだ状態となる。これまで説明してきた実施形態および第１〜第３変形例の場合、偏芯ピン１５が輸液位置にあるか解放位置にあるかは、キャップ１１の上下方向の位置によって視認されるが、図１３に示す第４変形例の場合、ヘッド部１５１の突出と引込みによって偏芯ピン１５が輸液位置にあるか解放位置にあるかが一層明確に視認され、ミスの防止に一層有効である。
【００８０】
次に、本発明の第２実施形態の輸液ポンプ用カセットについて説明する。
【００８１】
図１５は、本発明の第２実施形態としての輸液ポンプ用カセットの底面図、図１６は、図１５に示す円Ｒの部分の拡大図である。これら図１５，図１６では、押え板１４と、偏芯ピン１５のうちの円盤部１５３については透明にして、本体１２の内部空間を示している。
【００８２】
ここでは、前述の第１実施形態の輸液ポンプ用カセット１０と同じ要素には、これまでの図面に付した符号と同一の符号を付して示し、相違点のみについて説明する。
【００８３】
本実施形態の輸液ポンプ用カセット１０’の内部空間の内壁面１２１は、上下方向（図１５の紙面に垂直な方向；図１に示す中心線Ｃの延びる方向）に延びる稜線１２１ａと、円弧状に窪んだ窪み部１２１ｂとが交互に繰り返し、全体として中心線Ｃ（図１参照）を取り巻く円弧状に形成されている。チューブ２０は、本体１２の内部では、その内壁面１２１に沿うように一周している。
【００８４】
図１５には、偏芯ピン１５の偏芯カム部１５２が、リング１３を、この図１５の右側（円Ｒ側）に押している状態が示されている。
【００８５】
このとき、チューブ２０は、図１５の左側の部分はリング１３には押されずに断面円形の状態が保たれ、図１５の右側の部分は、リング１３により右側の複数の稜線に押し当てられている。
【００８６】
このとき、チューブ２０の、稜線１２１ａに押し当てられた部分は、ほとんど潰れた状態となる。また、チューブ２０の窪み部１２１ｂに対向する部分も、その両側が２本の稜線１２１ａに押し当てられて押し潰されているので、ほとんど潰れた状態にある。本実施形態の場合、この押し当て力が稜線１２１ａの部分に集中するため、前述の第１実施形態と比べ、さらに小さな力であってもチューブ２０が押し潰される。特に変形のしづらい内周面ではなく、比較的変形のしやすいチューブ２０の外周面が稜線１２１ａに押し当てられて押し潰されるため、より小さい力でチューブ２０を押し潰すことができる。
【００８７】
このように、本実施形態では、チューブ２０は、内壁面１２１の、隣接する複数の稜線１２１ａに押し当てられてそれら複数の稜線１２１ａのそれぞれとの間に挟まれて押し潰され、偏芯ピン１５の回転に伴って、チューブ２０の押し潰しに寄与する稜線１２１ａが図１に示す中心線Ｃを取り巻く向きに隣接する次の稜線１２１ａに順次に受け継がれる。このようにして、チューブ２０内の液が送り出される。
【００８８】
この第２実施形態の、内壁面１２１の形状以外の要素は前述の第１実施形態と同様であり、ここでの重複説明は省略する。
【００８９】
このように、内壁面１２１は、前述の第１実施形態のように単純な円弧形状のものであってもよく、あるいは、図１５，図１６に示す第２実施形態のように、凹凸を繰り返す形状のものであってもよく、あるいはさらに異なる形状のものであってもよい。
【符号の説明】
【００９０】
１０，１０’，１０１，１０２，１０３，１０４      輸液ポンプ用カセット
１１      キャップ
１２      本体
１３      リング
１４      押え板
１５      偏芯ピン
１６，１７      ストッパ
２０      チューブ
３０      ポンプ本体
３１      筐体
３２      モータ
３３      駆動部材
１１１，１５４，３１３，３１４，３３４ａ      穴
１１１ａ      窪み部
１１２，１２３      スリット
１２０      内部空間
１２１      内壁面
１２１ａ    稜線
１２１ｂ    窪み部
１２２      ロック爪
１２２ａ      操作部
１２４      固定溝
１２５      開口
１２６      ロック溝
１２７      フランジ
１２８，１５３ｃ      溝
１２９，３３４ｃ      突起
１５１      ヘッド部
１５２      偏芯カム部
１５３      円盤部
１５３ａ      周縁部
１５３ｂ      下面
１６１，３１２      凹部
３１１      装着部
３３１      固定板
３３２      ギア
３３３      駆動軸
３３４      ヘッド
３３４ｂ      長穴
３３５      コイルバネ
【図１】
2014012123.tif 000003
【図２】
2014012123.tif 000004
【図３】
2014012123.tif 000005
【図４】
2014012123.tif 000006
【図５】
2014012123.tif 000007
【図６】
2014012123.tif 000008
【図７】
2014012123.tif 000009
【図８】
2014012123.tif 000010
【図９】
2014012123.tif 000011
【図１０】
2014012123.tif 000012
【図１１】
2014012123.tif 000013
【図１２】
2014012123.tif 000014
【図１３】
2014012123.tif 000015
【図１４】
2014012123.tif 000016
【図１５】
2014012123.tif 000017
【図１６】
2014012123.tif 000018